(57)【要約】【課題】  微小な突起状の係合爪であっても、カバーをベースに確実に固定することのできるカバー固定構造を提供することを課題とする。【解決手段】  カバー３０がベース２０に取り付けられた状態で、第１の爪形状部３２Ａとガイド部３２Ｂとは、ベース２０に形成された第１の係合開口２４内に延在する。第１の係合爪３２Ａａは、第１の係合開口２４の一辺側に設けられた第１の爪掛り部２４ａに係合する。ガイド部３２Ａａの側面は第１の爪掛り部２４ａとは反対側の第１の係合開口２４の内面に当接する。【選択図】  図１２
2012222053.tif 000002
【特許請求の範囲】
【請求項１】
カバーをベースに固定するカバー固定構造であって、
カバーの第１の外側面から外側に向かって延在する板状の第１の爪形状部と、
前記第１の爪形状部に形成された第１の係合爪と、
前記第１の爪形状部の近傍において、前記カバーの前記第１の外側面に形成されたガイド部と、
前記ベースに形成された第１の係合開口と、
前記第１の係合開口の一辺側に形成された第１の爪掛り部と
を有し、
前記カバーが前記ベースに取り付けられた状態で、前記第１の爪形状部と前記ガイド部とは前記第１の係合開口内に延在し、前記第１の係合爪は前記第１の爪掛り部に係合し、且つ、前記ガイド部の側面は前記第１の爪掛り部とは反対側の前記第１の係合開口の内面に当接するカバー固定構造。
【請求項２】
請求項１記載のカバー固定構造であって、
前記第１の爪形状部と前記ガイド部は、前記カバーの一部として一体に形成されているカバー固定構造。
【請求項３】
請求項１又は２記載のカバー固定構造であって、
前記第１の係合爪は前記第１の爪形状部の先端で前記カバーの縁を超えて延在する部分に形成された微小突起であるカバー固定構造。
【請求項４】
請求項１乃至３のうちいずれか一項記載のカバー固定構造であって、
前記カバーの上部に形成された凹部と、
前記ベースに起立して形成されたカバー支持部と、
前記カバー部材から前記ベースに平行に延在する張り出し部と
をさらに有し、
前記カバーが前記ベースに取り付けられた状態で、前記カバーの前記凹部に前記ベースの前記張り出し部が係合するカバー固定構造。
【請求項５】
請求項１乃至４のうちいずれか一項記載のカバー固定構造であって、
前記カバーの前記第１の外側面に直交する第３の外側面に垂直に形成された第２の爪形状部と、
前記第２の爪形状部の先端に形成された第２の係合爪と、
前記ベースに形成された第２の係合開口と、
前記第２の係合開口の一辺側に形成された第２の爪掛り部と
前記第２の係合開口に対応した位置において、前記ベースから突出するリブ状の第１の爪押え部と、
をさらに有し、
前記カバーが前記ベースに取り付けられた状態で、前記第２の爪形状部は前記第２の係合開口内に延在し、前記第２の係合爪は前記第２の爪掛り部に係合し、且つ、前記第１の爪押え部は前記カバーの前記第１の外側面に当接するカバー固定構造。
【請求項６】
請求項１乃至５のうちいずれか一項記載のカバー固定構造であって、
前記カバーの前記第１乃至第３の外側面以外の第４の外側面に垂直に形成された第３の爪形状部と、
前記第３の爪形状部の先端に形成された第３の係合爪と、
前記ベースに形成された第３の係合開口と、
前記第３の係合開口の一辺側に形成された第３の爪掛り部と
前記第３の係合開口に対応した位置において、前記ベースから突出するリブ状の第２の爪押え部と、
をさらに有し、
前記カバーが前記ベースに取り付けられた状態で、前記第３の爪形状部は前記第３の係合開口内に延在し、前記第３の係合爪は前記第３の爪掛り部に係合し、且つ、前記第２の爪押え部は前記カバーの前記第４の外側面に直交する第５の外側面に当接するカバー固定構造。
【発明の詳細な説明】
【技術分野】
【０００１】
実施形態はベースにカバーを取り付けて固定するためのカバー固定構造に関する。
【背景技術】
【０００２】
電子装置の筐体には、ベースとカバーを有するものがある。電子装置の機能部品が取り付けられたベースにカバーを取り付けて、ベースとカバーとで筐体を形成する。
【０００３】
カバーをベースに取り付ける方法の一例として、カバーに形成された爪形状をベースの一部又は開口部に係合させることで、カバーをベースに取り外し可能に固定する構造が用いられることがある。この方法によると、ネジ締め等の作業工程が不要であり、部品点数を増やすことなく、短時間でカバーをベースに取り付けることができる。
【０００４】
爪形状を用いた取り付け構造として、固定物の側面から延在する弾性を有する部分の先端に爪形状を形成し、爪形状をベースの小さな開口に嵌め込んで係合させる構造が提案されている（例えば、特許文献１参照）。
【先行技術文献】
【特許文献】
【０００５】
【特許文献１】特開２００２−１７０１６８号公報
【発明の概要】
【発明が解決しようとする課題】
【０００６】
カバーに形成された爪形状をベースの一部又は開口部に係合させることでカバーをベースに固定する方法では、ベースが薄い板状の部材であり且つベースの裏側にスペースが無い場合、爪形状を係合させる部分（ベースに形成される係合部）を薄い板厚内で形成しなくてはならない。すなわち、ベースが薄い板状の部材であると、カバーの爪形状を収容できる部分が小さいので、爪形状を小さくしなければならない。カバーの爪形状が小さいと、爪形状とベースの係合部との係合度が小さくなり、カバーをベースに十分に固定しておくことができないおそれがある。
【０００７】
また、カバーの一部に切り込みを入れることで、弾性を有する爪形状をカバーの側面に形成することが一般的であるが、カバーとベースとで形成する筐体を密封しなければならない用途では、カバーに切り込みを入れることはできない。
【課題を解決するための手段】
【０００８】
一実施形態によれば、カバーをベースに固定するカバー固定構造であって、カバーの第１の外側面から外側に向かって延在する板状の第１の爪形状部と、前記第１の爪形状部に形成された第１の係合爪と、前記第１の爪形状部の近傍において、前記カバーの前記第１の外側面に形成されたガイド部と、前記ベースに形成された第１の係合開口と、前記第１の係合開口の一辺側に形成された第１の爪掛り部とを有し、前記カバーが前記ベースに取り付けられた状態で、前記第１の爪形状部と前記ガイド部とは前記第１の係合開口内に延在し、前記第１の係合爪は前記第１の爪掛り部に係合し、且つ、前記ガイド部の側面は前記第１の爪掛り部とは反対側の前記第１の係合開口の内面に当接するカバー固定構造が提供される。
【発明の効果】
【０００９】
一実施形態によれば、係合爪が形成された爪形状部と爪形状部の近傍に形成されたガイド部とを対にしてベースの係合開口に挿入し、ガイド部が係合開口の内面に当接することで、係合爪が係合開口に設けられた爪掛り部から外れないようにする。これにより、カバーの係合爪とべースの爪掛り部との係合が維持され、カバーをベースに確実に固定しておくことができる。
【図面の簡単な説明】
【００１０】
【図１】本発明の一実施形態によるカバー固定構造を有するイオン発生装置の斜視図である。
【図２】図１に示すイオン発生装置の分解斜視図である。
【図３】カバーの凹部が形成された部分の斜視図である。
【図４】爪形状部が形成されたカバーを裏側から見た斜視図である。
【図５】図４のＡ部を拡大して示す図である。
【図６】図４のＢ部を拡大して示す図である。
【図７】図４のＣ部を拡大して示す図である。
【図８】ベースの拡大斜視図である。
【図９】カバーをベースに取り付ける途中の状態を示す斜視図である。
【図１０】カバーがベースに取り付けられた状態を示す斜視図である。
【図１１】図１０のＡ部を拡大して示す斜視図である。
【図１２】図１０のＸＩＩ−ＸＩＩ線に沿った断面図である。
【図１３】カバーがベースに取り付けられた状態を示す斜視図である。
【図１４】図１３のＡ部を拡大して示す斜視図である。
【図１５】図１３のＸＶ−ＸＶ線に沿った断面図である。
【図１６】カバーがベースに取り付けられた状態を示す斜視図である。
【図１７】図１６のＡ部を拡大して示す斜視図である。
【図１８】図１６のＸＶＩＩＩ−ＸＶＩＩＩ線に沿った断面図である。
【発明を実施するための形態】
【００１１】
次に、実施形態について図面を参照しながら説明する。
【００１２】
図１は本発明の一実施形態によるカバー固定構造を有するイオン発生装置の斜視図である。図２は図１に示すイオン発生装置の分解斜視図である。イオン発生装置は、本発明の一実施形態が適用可能な筐体を有する装置の一例である。本発明の一実施形態は、二つの部品を組み合わせて形成する筐体を有する装置であれば、いかなる装置にも適用することができる。
【００１３】
図１に示すイオン発生装置１０は、イオン発生装置１０の機能部品が取り付けられるベース２０と、ベース２０上の機能部品を収容した状態でベース２０に取り付けられて固定されるカバー３０とを含む。ベース２０とカバー３０とで、イオン発生装置１０の筐体が形成される。
【００１４】
カバー３０の一部にはファン４０が取り付けられる。ファン４０はカバー３０内部に空気を送り込むための送風機である。カバー３０内にはイオン発生器５０が配置されており、ファン４０で送り込まれた空気は、イオン発生器５０で発生したイオンと共に、カバー３０の上部に形成された吹き出し口３０ａからカバー３０の外部に放出される。ベース２０上には、イオン発生器５０を駆動して制御するための電気回路が設けられた制御基板６０が取り付けられる。制御基板６０は、ベース２０上でカバー３０の外側に配置され、シールド６２により覆われてシールドされている。以上の構成のイオン発生装置１０は、例えばコンピュータ用ディスプレイモニタの裏側に取り付けられ、ディスプレイモニタ周囲の雰囲気にイオンを放出する。
【００１５】
カバー３０をベース２０に取り付けるためのカバー固定構造に本発明の一実施形態が適用される。
【００１６】
ベース２０は、例えばプラスチック製の薄い板材であり、上面に部品取り付け用のリブ等が形成される。イオン発生装置１０は上述のようにディスプレイモニタ等の他の装置に組み込まれるため、筐体を形成するベース２０の裏側は平面であって突出物が無いことが好ましい。本実施形態によるイオン発生装置１０では、ベース２０の裏側が平面であり、突出物が無いという条件を満たすものとする。
【００１７】
カバー３０は、例えばプラスチック製の容器であり、その側壁は弾性的に変形しやすい。イオン発生装置１０では、カバー３０内の空気を吹き出し口３０ａのみからカバー３０外に送出する必要があるため、カバー３０には吹き出し口３０ａ以外に空気が出てくるような開口が無いことが条件となる。
【００１８】
以上のようなベース２０の一部とカバー３０の一部により、本実施形態によるカバー固定構造が形成される。以下、カバー固定構造について説明する。
【００１９】
図２に示すように、ベース２０の一辺側に、カバー支持部２２が形成される。カバー支持部２２は板状のベース２０から起立したリブ状の部分であり、カバー３０の上部に形成された凹部３０ｂに係合する張り出し部２２ａを有する。図３はカバー３０の凹部３０ｂが形成された部分の斜視図である。凹部３０ｂはカバー３０の上面３０ｃと外側面３０ｄとの交線に沿って形成されており、図１に示すように、カバー３０の外側面がカバー支持部２２に当接しながら凹部３０ｂが張り出し部２２ａに係合することで、カバー３０はベース２０に対して位置決めされる。
【００２０】
カバー３０には、カバー固定構造の一部として、複数の爪形状部が形成される。複数の爪形状部は、ベース２０に形成された係合部に係合するように形成される。カバー３０は複数の爪形状部と上述の凹部３０ｂとにより、ベース２０上に固定される。
【００２１】
図４は爪形状部が形成されたカバー３０を裏側から見た斜視図である。カバー３０の凹部３０ｂが形成された外側面３０ｄの反対側の外側面３０ｅには、ガイド付爪形状部３２が形成されている。図５は図４のＡ部を拡大して示す図である。ガイド付爪形状部３２は、一対となった爪形状部３２Ａとガイド部３２Ｂを有する。爪形状部３２Ａ及びガイド部３２Ｂは、外側面３０ｅに対して垂直方向外側に延在する板状の部材であり、互いに平行に近接した位置に設けられる。爪形状部３２Ａの先端部には係合爪３２Ａａが形成されている。ガイド付爪形状部３２の詳細については後述する。
【００２２】
カバー３０の外側面３０ｅに直交する外側面３０ｆには、爪形状部３４が形成されている。図６は図４のＢ部を拡大して示す図である。爪形状部３４は、外側面３０ｆに対して垂直方向外側に延在する板状の部材であり、その先端部に係合爪３４ａが形成されている。爪形状部３４の詳細については後述する。
【００２３】
カバー３０の外側面３０ｆの反対側でカバー３０の外側面３０ｅに直交する外側面３０ｇには、爪形状部３６が形成されている。図７は図４のＣ部を拡大して示す図である。爪形状部３６は、外側面３０ｇに対して垂直方向外側に延在する板状の部材であり、その先端部に係合爪３６ａが形成されている。爪形状部３６の詳細については後述する。
【００２４】
上述のガイド付爪形状部３２、爪形状部３４、及び爪形状部３６は、ベース２０に形成された係合開口にそれぞれ挿入されて係合する。図８はベース２０の拡大斜視図である。カバー３０の外側面３０ｅ、３０ｆ、３０ｇに形成されたガイド付爪形状部３２、爪形状部３４、及び爪形状部３６に対応する位置に、係合開口２４、２６、２８がそれぞれ形成されている。
【００２５】
係合開口２４の一辺側には爪掛り部２４ａが設けられ、ガイド付爪形状部３２の爪形状部３２Ａが係合開口２４に挿入されると、爪形状部３２Ａの係合爪３２Ａａが爪掛り部２４ａに係合する。同様に、係合開口２６の一辺側には爪掛り部２６ａが設けられ、爪形状部３４が係合開口２６に挿入されると、爪形状部３４の係合爪３４ａが爪掛り部２６ａに係合する。また、係合開口２８の一辺側には爪掛り部２８ａが設けられ、爪形状部３６が係合開口２８に挿入されると、爪形状部３６の係合爪３６ａが爪掛り部２８ａに係合する。
【００２６】
なお、係合開口２４の一辺側に張り出すように爪掛り部２４ａが形成されているが、ベース２０の厚みが十分あって、係合開口２４の内面に段差を形成することができれば、この段差を爪掛り部として用いることができる。他の係合開口２６，２８についても同様である。
【００２７】
カバー３０をベース２０に取り付けるには、ます、カバー３０の外側面３０ｅ側を少し持ち上げた状態で、外側面３０ｄをカバー支持部２２に押し付けるようにしながら、凹部３０ｂをカバー支持部２２の張り出し部２２ａの下に位置させる。そして、図９に示すように、カバー３０の外側面３０ｅ側をベース２０に向けて降ろしていくことで、凹部３０ｂが張り出し部２２ａに係合するようになる。このとき、カバー支持部２２に対してカバー３０の外側面３０ｄが押し付けられること、及び凹部３０ｂが張り出し部２２ａに嵌合することで、カバー３０がベース２０に対して位置決めされる。
【００２８】
このようにカバー３０がベース２０に対して位置決めされた状態で、ガイド付爪形状部３２は係合開口２４の真上に配置され、爪形状部３４は係合開口２６の真上に配置され、爪形状部３６は係合開口２８の真上に配置される。したがって、カバー３０の外側面３０ｅ側をベース２０に向けて降ろしてカバー３０の縁全体をベース３０に当接させると、自動的にガイド付爪形状部３２の爪形状部３２Ａは係合開口２４の中に挿入される。このとき、爪形状部３２Ａの係合爪３２Ａａはベース２０の爪掛り部２４ａに当接しながら係合開口２４内に入り込み、係合爪３２Ａａは爪掛り部２４ａに係合した状態となる。
【００２９】
同様に、図９には現れていないが、カバー３０の外側面３０ｅ側をベース２０に向けて降ろしてカバー３０の縁全体をベース３０に当接させると、自動的に爪形状部３４は係合開口２６の中に挿入される。このとき、爪形状部３４の係合爪３４ａはベース２０の爪掛り部２６ａに当接しながら係合開口２６内に入り込み、係合爪３４ａは爪掛り部２６ａに係合した状態となる。さらに、カバー３０の外側面３０ｅ側をベース２０に向けて降ろしてカバー３０の縁全体をベース３０に当接させると、自動的に爪形状部３６は係合開口２８の中に挿入される。このとき、爪形状部３６の係合爪３６ａはベース２０の爪掛り部２８ａに当接しながら係合開口２６内に入り込み、係合爪３６ａは爪掛り部２８ａに係合した状態となる。
【００３０】
ここで、ガイド付爪形状部３２についてさらに詳細に説明する。図１０はカバー３０がベース２０に取り付けられた状態を示す斜視図である。図１１は図１０のＡ部を拡大して示す斜視図である。図１２（ａ）は図１０のＸＩＩ−ＸＩＩ線に沿った断面図であり、図１２（ｂ）は図１２（ａ）のＡ部の拡大図である。
【００３１】
ガイド付爪形状部３２がベース２０の係合開口２４に挿入されると、爪形状部３２Ａの係合爪３２Ａａが爪掛り部２４ａに係合する。このとき、ガイド部３２Ｂも係合開口２４に挿入される。ガイド部３２Ｂの先端には傾斜面３２Ｂａが形成されており、爪形状部３２Ａの係合爪３２Ａａが爪掛り部２４ａの端面に当接しながら移動しているときには、ガイド部３２Ｂの傾斜面３２Ｂａが係合開口２４の縁に当接しながら移動する。そして、爪形状部３２Ａの係合爪３２Ａａが爪掛り部２４ａの端面を通過して図１２に示す状態になると、ガイド部３２Ｂの側面が係合開口２４の内面に当接した状態となる。これにより、爪形状部３２Ａは、図１２の矢印方向に移動することができなくなり、係合爪３２Ａａの上部が爪掛り部２４ａに係合した状態が維持される。すなわち、ガイド部３２Ｂは係合爪３２Ａａが爪掛り部２４ａから外れる方向に移動することを阻止して係合状態を維持するために設けられている。
【００３２】
ガイド部３２Ｂは爪形状部３２Ａと対をなして爪形状部３２Ａの近傍に設けられている。そして、ガイド部３２Ｂはカバー３０の外側面３０ｅに一体に形成されているので、ほとんど弾性変形することはない。また、ガイド部３２Ｂは爪形状部３２Ａの近傍に設けられており、ガイド部３２Ｂと爪形状部３２Ａとの間のカバー３０が変形しても変形量は極僅かである。したがって、カバー３０に横方向の力が加わっても、ガイド部３２Ｂの側面と爪形状部３２Ａの係合爪３２Ａａとの間の距離は維持され、係合爪３２Ａａは変位することは無く、係合爪３２Ａａが爪掛り部２４ａから外れることは無い。
【００３３】
ここで、係合爪３２Ａａは、図１２（ｂ）に示すように断面が半球に近いような曲線形状であり、その突出量は非常に小さい。したがって、爪形状部３２Ａとガイド部３２Ｂとが係合開口２４に挿入されるときには、カバー全体３０が僅かに撓むことで、爪形状部３２Ａとガイド部３２Ｂとが共に僅かに横方向（図１２の矢印方向）に変位することができる。これにより、突出量が小さい爪形状部３２Ａの係合爪３２Ａａは、爪掛り部２４ａの端面に当接しながら係合開口２４内に入り込むことができる。そして、係合爪３２Ａａが爪掛り部２４ａの下まで入り込んだ後は、爪形状部３２Ａとガイド部３２Ｂとが変形し難いので、係合爪３２Ａａが爪掛り部２４ａに係合している状態が維持される。これにより、カバー３０を単に上に持ち上げようとしても、係合爪３２Ａａが爪掛り部２４ａに引っ掛かってベース２０から外れることは無い。
【００３４】
なお、爪形状部３２Ａとガイド部３２Ｂとは、カバー３０の外側面３０ｅから垂直方向に延在した板状の部分として形成される。したがって、カバー３０の外側面３０ｅに切り込みを入れたり、開口を形成したりする必要はなく、カバー３０の密閉性を維持しながら爪形状部３２Ａとガイド部３２Ｂとを形成することができる。また、係合開口２４もカバー３０の外側面３０ｅから外側にはずれた位置に形成できるため、係合開口２４がカバー３０の内部空間に繋がることは無い。
【００３５】
次に、爪形状部３４について詳細に説明する。図１３はカバー３０がベース２０に取り付けられた状態を示す斜視図である。図１４は図１３のＡ部を拡大して示す斜視図である。図１５は図１３のＸＶ−ＸＶ線に沿った断面図である。
【００３６】
爪形状部３４がベース２０の係合開口２６に挿入されると、爪形状部３４の係合爪３４ａが爪掛り部２６ａに係合する。爪形状部３４の近傍には、上述のガイド部は設けられていないが、ガイド部と同様な機能を有する部分がベース２０に形成されている。すなわち、カバー３０がベース２０に取り付けられたときに、カバー３０の外側面３０ｅに当接する爪押え３８がベース２０から突出したリブ形状に形成されている。
【００３７】
爪押え３８がカバー３０の外側面３０ｅに当接する位置は、爪形状部３４の係合爪３４ａが爪掛り部２６ａに係合している位置に近く、且つ、係合爪３４ａが爪掛り部２６ａから離れる方向である。したがって、爪押え３８がカバー３０の外側面３０ｅに当接することで、カバー３０の矢印方向への移動が阻止され、これにより、爪形状部３４の係合爪３４ａの図１４における矢印方向の変位が阻止される。したがって、爪形状部３４の係合爪３４ａが爪掛り部２６ａに係合した状態が維持され、カバー３０を単に上に持ち上げようとしても、係合爪３４ａが爪掛り部２６ａから外れることは無い。
【００３８】
ここで、係合爪３４ａは、図１５に示すうように断面が半球に近いような曲線形状であり、その突出量は非常に小さい。したがって、爪形状部３４が係合開口２６に挿入されるときには、カバー全体３０が僅かに変形することで、爪形状部３４が僅かに横方向（図１４の矢印方向）に変位することができる。これにより、突出量が小さい爪形状部３４の係合爪３４ａは、爪掛り部２６ａの端面に当接しながら係合開口２６内に入り込むことができる。そして、係合爪３４ａが爪掛り部２６ａの下まで入り込んだ後は、爪形状部３４が変形し難いので、係合爪３４ａが爪掛り部２６ａに係合している状態が維持される。これにより、カバー３０を単に上に持ち上げようとしても、係合爪３４ａが爪掛り部２６ａに引っ掛かってベース２０から外れることは無い。
【００３９】
なお、爪形状部３４は、カバー３０の外側面３０ｆから垂直方向に延在した板状の部分として形成される。したがって、カバー３０の外側面３０ｆに切り込みを入れたり、開口を形成したりする必要はなく、カバー３０の密閉性を維持しながら爪形状部３４を形成することができる。また、係合開口２６もカバー３０の外側面３０ｆから外側にはずれた位置に形成できるため、係合開口２６がカバー３０の内部空間に繋がることは無い。
【００４０】
また、爪押え３８はカバー３０の外側面３０ｅに沿って互いに離れた位置の２箇所に設けられている。このように、離れた位置の２箇所でカバー３０の外側面を拘束することで、カバー３０の回転方向の変位を効果的に防止することができる。係合爪３２Ａａ及び係合爪３４ａのように極微小な突出量でベース２０との係合を維持するためには、カバー３０の回転方向の移動やがたつきを防止することも重要な要素である。
【００４１】
次に、爪形状部３６について詳細に説明する。図１６はカバー３０がベース２０に取り付けられた状態を示す斜視図である。図１７は図１６のＡ部を拡大して示す斜視図である。図１８は図１６のＸＶＩＩＩ−ＸＶＩＩＩ線に沿った断面図である。
【００４２】
爪形状部３６がベース２０の係合開口２８に挿入されると、爪形状部３６の係合爪３６ａが爪掛り部２８ａに係合する。爪形状部３６の近傍には、上述のガイド部は設けられていないが、ガイド部と同様な機能を有する部分がベース２０に形成されている。すなわち、カバー３０がベース２０に取り付けられたときに、カバー３０の外側面３０ｈに当接する爪押え３９がベース２０から突出したリブ形状に形成されている。
【００４３】
爪押え３９がカバー３０の外側面３０ｈに当接する位置は、爪形状部３６の係合爪３６ａが爪掛り部２８ａに係合している位置に近く、且つ、係合爪３６ａが爪掛り部２８ａから離れる方向である。したがって、爪押え３９がカバー３０の外側面３０ｈに当接することで、カバー３０の矢印方向への移動が阻止され、これにより、爪形状部３６の係合爪３６ａの図１７における矢印方向の変位が阻止される。したがって、爪形状部３６の係合爪３６ａが爪掛り部２８ａに係合した状態が維持され、カバー３０を単に上に持ち上げようとしても、係合爪３６ａが爪掛り部２８ａから外れることは無い。
【００４４】
ここで、係合爪３６ａは、図１８に示すうように断面が半球に近いような曲線形状であり、その突出量は非常に小さい。したがって、爪形状部３６が係合開口２８に挿入されるときには、カバー全体３０が僅かに変形することで、爪形状部３６が僅かに横方向（図１７の矢印方向）に変位することができる。これにより、突出量が小さい爪形状部３６の係合爪３６ａは、爪掛り部２８ａの端面に当接しながら係合開口２８内に入り込むことができる。そして、係合爪３６ａが爪掛り部２８ａの下まで入り込んだ後は、爪形状部３６が変形し難いので、係合爪３６ａが爪掛り部２８ａに係合している状態が維持される。これにより、カバー３０を単に上に持ち上げようとしても、係合爪３６ａが爪掛り部２８ａに引っ掛かってベース２０から外れることは無い。
【００４５】
なお、爪形状部３６は、カバー３０の外側面３０ｇから垂直方向に延在した板状の部分として形成される。したがって、カバー３０の外側面３０ｇに切り込みを入れたり、開口を形成したりする必要はなく、カバー３０の密閉性を維持しながら爪形状部３６を形成することができる。また、係合開口２８もカバー３０の外側面３０ｇから外側にはずれた位置に形成できるため、係合開口２８がカバー３０の内部空間に繋がることは無い。
【００４６】
以上のように、本明細書は以下の事項を開示する。
（付記１）
カバーをベースに固定するカバー固定構造であって、
カバーの第１の外側面から外側に向かって延在する板状の第１の爪形状部と、
前記第１の爪形状部に形成された第１の係合爪と、
前記第１の爪形状部の近傍において、前記カバーの前記第１の外側面に形成されたガイド部と、
前記ベースに形成された第１の係合開口と、
前記第１の係合開口の一辺側に形成された第１の爪掛り部と
を有し、
前記カバーが前記ベースに取り付けられた状態で、前記第１の爪形状部と前記ガイド部とは前記第１の係合開口内に延在し、前記第１の係合爪は前記第１の爪掛り部に係合し、且つ、前記ガイド部の側面は前記第１の爪掛り部とは反対側の前記第１の係合開口の内面に当接するカバー固定構造。
（付記２）
付記１記載のカバー固定構造であって、
前記第１の爪形状部と前記ガイド部は、前記カバーの一部として一体に形成されているカバー固定構造。
（付記３）
付記１又は２記載のカバー固定構造であって、
前記第１の係合爪は前記第１の爪形状部の先端で前記カバーの縁を超えて延在する部分に形成された微小突起であるカバー固定構造。
（付記４）
付記１乃至３のうちいずれか一項記載のカバー固定構造であって、
前記係合開口の内面に当接する前記側面から傾斜した傾斜面が、前記ガイド部の先端に形成されたカバー固定構造。
（付記５）
付記１乃至４のうちいずれか一項記載のカバー固定構造であって、
前記カバーの上部に形成された凹部と、
前記ベースに起立して形成されたカバー支持部と、
前記カバー部材から前記ベースに平行に延在する張り出し部と
をさらに有し、
前記カバーが前記ベースに取り付けられた状態で、前記カバーの前記凹部に前記ベースの前記張り出し部が係合するカバー固定構造。
（付記６）
付記５記載のカバー固定構造であって、
前記凹部は、前記カバーの前記第１の外側面とは反対側の第２の外側面と、前記カバーの上面とで形成される角部に形成されたカバー固定構造。
（付記７）
付記５又は６記載のカバー固定構造であって、
前記カバーが前記ベースに取り付けられた状態で、前記カバーの前記第２の外側面は前記カバー支持部に当接するカバー固定構造。
（付記８）
付記１乃至７のうちいずれか一項記載のカバー固定構造であて、
前記カバーの前記第１の外側面に直交する第３の外側面に垂直に形成された第２の爪形状部と、
前記第２の爪形状部の先端に形成された第２の係合爪と、
前記ベースに形成された第２の係合開口と、
前記第２の係合開口の一辺側に形成された第２の爪掛り部と
前記第２の係合開口に対応した位置において、前記ベースから突出するリブ状の第１の爪押え部と、
をさらに有し、
前記カバーが前記ベースに取り付けられた状態で、前記第２の爪形状部は前記第２の係合開口内に延在し、前記第２の係合爪は前記第２の爪掛り部に係合し、且つ、前記第１の爪押え部は前記カバーの前記第１の外側面に当接するカバー固定構造。
（付記９）
付記８記載のカバー固定構造であって、
前記第２の爪形状部は、前記カバーの一部として一体に形成されているカバー固定構造。
（付記１０）
付記８又は９記載のカバー固定構造であって、
前記第２の係合爪は前記第２の爪形状部の先端で前記カバーの縁を超えて延在する部分に形成された微小突起であるカバー固定構造。
（付記１１）
付記８乃至１０のうちいずれか一項記載のカバー固定構造であて、
前記第１の爪押え部は、前記カバーの前記第１の外側面に沿って複数箇所に形成されたカバー固定構造。
（付記１２）
付記１乃至１１のうちいずれか一項記載のカバー固定構造であって、
前記カバーの前記第１乃至第３の外側面以外の第４の外側面に垂直に形成された第３の爪形状部と、
前記第３の爪形状部の先端に形成された第３の係合爪と、
前記ベースに形成された第３の係合開口と、
前記第３の係合開口の一辺側に形成された第３の爪掛り部と
前記第３の係合開口に対応した位置において、前記ベースから突出するリブ状の第２の爪押え部と、
をさらに有し、
前記カバーが前記ベースに取り付けられた状態で、前記第３の爪形状部は前記第３の係合開口内に延在し、前記第３の係合爪は前記第３の爪掛り部に係合し、且つ、前記第２の爪押え部は前記カバーの前記第４の外側面に直交する第５の外側面に当接するカバー固定構造。
（付記１３）
付記１２記載のカバー固定構造であって、
前記第３の爪形状部は、前記カバーの一部として一体に形成されているカバー固定構造。
（付記１４）
付記１２又は１２記載のカバー固定構造であって、
前記第３の係合爪は前記第３の爪形状部の先端で前記カバーの縁を超えて延在する部分に形成された微小突起であるカバー固定構造。
【符号の説明】
【００４７】
１０  イオン発生装置
２０  ベース
２２  カバー支持部
２２ａ  張り出し部
２４，２６，２８  係合開口
２４ａ，２６ａ，２８ａ  爪掛り部
３０  カバー
３０ａ  吹き出し口
３０ｂ  凹部
３０ｃ  上面
３０ｄ，３０ｅ，３０ｆ，３０ｇ，３０ｈ  外側面
３２  ガイド付爪形状部
３２Ａ  爪形状部
３２Ａａ  係合爪
３２Ｂ  ガイド部
３４  爪形状部
３４ａ  係合爪
３６  爪形状部
３６ａ  係合爪
３８，３９  爪押え部
４０  ファン  
５０  イオン発生器
６０  制御基板
６２  シールド
【図１】
2012222053.tif 000003
【図２】
2012222053.tif 000004
【図３】
2012222053.tif 000005
【図４】
2012222053.tif 000006
【図５】
2012222053.tif 000007
【図６】
2012222053.tif 000008
【図７】
2012222053.tif 000009
【図８】
2012222053.tif 000010
【図９】
2012222053.tif 000011
【図１０】
2012222053.tif 000012
【図１１】
2012222053.tif 000013
【図１２】
2012222053.tif 000014
【図１３】
2012222053.tif 000015
【図１４】
2012222053.tif 000016
【図１５】
2012222053.tif 000017
【図１６】
2012222053.tif 000018
【図１７】
2012222053.tif 000019
【図１８】
2012222053.tif 000020